(57)【要約】【課題】配索作業性の向上と、カバー部材による電線の噛み込み抑制とを図ることができる配索経路規制構造を提供すること。【解決手段】複数の電線が束ねられた電線束の配索方向に長尺な底壁部と、底壁部の長手方向と直交する短手方向の両端に立設した一対の側壁部とで構成されており、底壁部と対向する面が開口した凹形状のケース本体と、開口を閉塞する、ケース本体に対して開閉可能なカバー部材と、を備えた、二種類の電線束を二段重ねで収納する電線収納ケースにおける配索経路規制構造であって、ケース本体に対して着脱可能であり、二種類の電線束のうち二段重ねで底壁部側に配索される底壁部側電線束を覆って、二種類の電線束を仕切る電線束押さえ部材と、底壁部に設けられ、底壁部側電線束の電線を、ケース本体内における短手方向の中央側に寄せるようにガイドするガイド面を有する複数のリブと、を備える。【選択図】図１
2018207694.tif 000002
【特許請求の範囲】
【請求項１】
複数の電線が束ねられた電線束の配索方向に長尺な底壁部と、該底壁部の長手方向と直交する短手方向の両端に立設した一対の側壁部とで構成されており、該底壁部と対向する面が開口した凹形状のケース本体と、
前記開口を閉塞する、該ケース本体に対して開閉可能なカバー部材と、
を備えた、二種類の電線束を二段重ねで収納する電線収納ケースにおける配索経路規制構造であって、
前記ケース本体に対して着脱可能であり、前記二種類の電線束のうち二段重ねで前記底壁部側に配索される底壁部側電線束を覆って押さえる電線束押さえ部材と、
前記底壁部に設けられ、前記底壁部側電線束の電線を、前記ケース本体内における前記短手方向の中央側に寄せるようにガイドするガイド面を有する複数のリブと、
を備えることを特徴とする配索経路規制構造。
【請求項２】
請求項１に記載の配索経路規制構造において、
前記複数のリブは、前記長手方向に所定間隔をあけて並んで配設されており、
前記長手方向で隣り合うリブ間に前記電線束押さえ部材を位置させることを特徴とする配索経路規制構造。
【発明の詳細な説明】
【技術分野】
【０００１】
本発明は、配索経路規制構造に関する。
【背景技術】
【０００２】
従来、自動車には、電源から電装部品に対する電力供給や、電装部品に対する電気信号の伝送などに用いられる複数の電線が配索されている（例えば、特許文献１など）。
【先行技術文献】
【特許文献】
【０００３】
【特許文献１】特開２０１６−１８７４１号公報
【発明の概要】
【発明が解決しようとする課題】
【０００４】
図５に示すような、凹形状のケース本体７１と、ケース本体７１の開口７２を閉塞するカバー７３とで構成された電線収納ケース７０において、二種類の電線束を上下に二段重ねでケース本体７１内に配索するときには、二段重ねの下側に位置させる下側電線束８１をケース本体７１内に配索した後に、二段重ねの上側に位置させる上側電線束８２をケース本体７１内に配索する。
【０００５】
しかしながら、上側電線束８２をケース本体７１内に配索するときに、下側電線束８１がばらばらになって下側電線束８１をなす電線８１ａの一部分（余長）が、所定の配索経路を逸脱し、ケース本体７１の開口７２から外に飛び出してしまうことがある。そのため、ケース本体７１内への電線束の配索作業性が悪くなったり、ケース本体７１の開口７２から電線８１ａの一部分（余長）が外に飛び出したままカバー７３を閉じてしまい、電線８１ａがカバー７３によって噛み込まれ破損したりするといった問題が生じ得る。
【０００６】
本発明は、上記課題に鑑みてなされたものであって、その目的は、配索作業性の向上と、カバー部材による電線の噛み込み抑制とを図ることができる配索経路規制構造を提供することである。
【課題を解決するための手段】
【０００７】
上述した課題を解決し、目的を達成するために、本発明に係る配索経路規制構造は、複数の電線が束ねられた電線束の配索方向に長尺な底壁部と、該底壁部の長手方向と直交する短手方向の両端に立設した一対の側壁部とで構成されており、該底壁部と対向する面が開口した凹形状のケース本体と、前記開口を閉塞する、該ケース本体に対して開閉可能なカバー部材と、を備えた、二種類の電線束を二段重ねで収納する電線収納ケースにおける配索経路規制構造であって、前記ケース本体に対して着脱可能であり、前記二種類の電線束のうち二段重ねで前記底壁部側に配索される底壁部側電線束を覆って押さえる電線束押さえ部材と、前記底壁部に設けられ、前記底壁部側電線束の電線を、前記ケース本体内における前記短手方向の中央側に寄せるようにガイドするガイド面を有する複数のリブと、を備えることを特徴とするものである。
【０００８】
また、本発明に係る配索経路規制構造は、上記の発明において、前記複数のリブは、前記長手方向に所定間隔をあけて並んで配設されており、前記長手方向で隣り合うリブ間に前記電線束押さえ部材を位置させることを特徴とするものである。
【発明の効果】
【０００９】
本発明に係る配索経路規制構造は、配索作業性の向上と、カバー部材による電線の噛み込み抑制とを図ることができるという効果を奏する。
【図面の簡単な説明】
【００１０】
【図１】図１は、本実施形態に係る電線収納ケースを短手方向で切断した断面図である。
【図２】図２の（ａ）は、ケース本体の正面図である。図２の（ｂ）は、ケース本体の斜視図である。
【図３】図３は、電線収納ケースの分解斜視図である。
【図４】図４は、ケース本体に電線束押さえ部材を装着した電線収納ケースの要部の拡大図である。
【図５】図５は、従来の電線収納ケースを短手方向で切断した断面図である。
【発明を実施するための形態】
【００１１】
以下に、本発明に係る配索経路規制構造を適用した電線収納ケースの一実施形態について説明する。なお、本実施形態により本発明が限定されるものではない。すなわち、本実施形態に係る電線収納ケースには、自動車において、電池パックのバスバーに設けられた電圧検出端子に接続される電圧検出線を複数本束ねた電圧検出線束と、電池パックの電池セルの内部または近傍に設けられたサーミスタに接続されるサーミスタ線を複数本束ねたサーミスタ線束とを配索するが、本発明に係る配索経路規制構造を適用する電線収納ケースの設置対象や配索対象の電線束などは、これらに限定されるものではない。
【００１２】
図１は、本実施形態に係る電線収納ケース１を短手方向で切断した断面図である。図２の（ａ）は、ケース本体１０の正面図である。図２の（ｂ）は、ケース本体１０の斜視図である。図３は、電線収納ケース１の分解斜視図である。図４は、ケース本体１０に電線束押さえ部材２０を装着した電線収納ケース１の要部の拡大図である。
【００１３】
図１に示すように、本実施形態に係る電線収納ケース１は、複数の電圧検出線５０ａが束ねられた電圧検出線束５０と、複数のサーミスタ線６０ａとが束ねられたサーミスタ線束６０との二種類の電線束を、上下方向で二段重ねで収納するものであり、凹形状のケース本体１０と、電線束押さえ部材２０と、カバー３０とで構成されている。
【００１４】
ケース本体１０は、図２の（ａ）及び図２の（ｂ）に示すように、電線束の配索方向に長尺な底壁部１１と、底壁部１１の長手方向と直交する方向である短手方向の両端に立設した一対の側壁部１２，１３とで構成されており、底壁部１１と対向する面には開口１４が形成されている。また、ケース本体１０には、底壁部１１と一対の側壁部１２，１３とによって、電圧検出線束５０及びサーミスタ線束６０を収容するための収容空間部１６が形成されている。この収容空間部１６は、開口１４を介して外部と連通している。
【００１５】
なお、収容空間部１６は、開口１４から底壁部１１までの距離であるケース本体１０内の深さが、一対の側壁部１２，１３間の前記短手方向の距離であるケース本体１０内の横幅の約２倍となっており、底が深くて横幅の狭い形状となっている。
【００１６】
電線束押さえ部材２０は、図３に示すように、ケース本体１０とは別体であり、ケース本体１０に対して着脱可能であって、図１に示すように、収容空間部１６に挿入され、収容空間部１６の一部を区画し、二種類の電線束のうち上下方向で下側（底壁部１１側）に配索させる下側電線束（底壁部側電線束）である電圧検出線束５０を保持する保持空間部１７を形成する。そして、電線束押さえ部材２０は、保持空間部１７にある電圧検出線束５０を覆って押さえるとともに、電圧検出線束５０と、上側電線束（開口側電線束）である複数のサーミスタ線６０ａが束ねられたサーミスタ線束６０とを仕切る。電線束押さえ部材２０は、電圧検出線束５０とサーミスタ線束６０との間に配設される平板状の押さえ部２１と、押さえ部２１の前記短手方向の両端であって底壁部１１側に立設した一対の脚部２２，２３と、押さえ部２１の前記短手方向の一端であって開口１４側に立設し、ケース本体１０の一方の側壁部１３の外壁面に設けられた係合爪１５と係合可能な係合部２４と、で構成されている。なお、脚部２３の前記長手方向の幅は、脚部２２の前記長手方向の幅よりも短くなっており、係合部２４の前記長手方向の幅とほぼ同じになっている。
【００１７】
カバー３０は、ケース本体１０とは別体であって、ケース本体１０に対して開閉可能であり、ケース本体１０の開口１４を閉塞するものである。ケース本体１０内に各電線束の配索を行うときには、ケース本体１０からカバー３０を取り外して開口１４を開放させ、ケース本体１０内に各電線束の配索が終わった後、ケース本体１０にカバー３０を装着して開口１４を閉塞する。なお、カバー３０には、開口１４を閉じたときに、電線束押さえ部材２０と干渉しないように切り欠き部３１が設けられている。
【００１８】
本実施形態に係る電線収納ケース１においては、図２の（ａ）や図４に示すように、ケース本体１０内の底壁部１１における前記長手方向の中央部であって前記短手方向の両端側に、軸線方向が前記長手方向と平行な三角柱形状のリブ４１，４２，４３，４４が、それぞれ２つずつ計４つ設けられている。各リブ４１，４２，４３，４４の開口１４に面した側面は、ケース本体１０内において前記短手方向の中央側に電圧検出線５０ａが寄せられるように電圧検出線５０ａをガイドする、底壁部１１に対して傾斜したガイド面４１ａ，４２ａ，４３ａ，４４ａとなっている。
【００１９】
ケース本体１０内に電圧検出線５０ａを配索するときには、各リブ４１，４２，４３，４４のガイド面４１ａ，４２ａ，４３ａ，４４ａで電圧検出線５０ａを滑らせて、電圧検出線５０ａをケース本体１０における前記短手方向の中央側に寄せる。これにより、電線束押さえ部材２０によって電圧検出線束５０が覆いやすくなるため、ケース本体１０に電線束押さえ部材２０を装着するときの作業性が向上するとともに、電線束押さえ部材２０の一対の脚部２２，２３による電圧検出線５０ａの噛み込みを抑制することができる。また、各リブ４１，４２，４３，４４によって、ケース本体１０内における前記短手方向の中央側に電圧検出線束５０が寄せられることにより、ケース本体１０の一対の側壁部１２，１３から遠ざかった位置に電圧検出線束５０が配索されるため、カバー３０による電圧検出線５０ａの噛み込みを抑制することが可能となる。
【００２０】
また、４つのリブ４１，４２，４３，４４は、ケース本体１０に対する電線束押さえ部材２０の前記長手方向における位置決めを行う位置決め部材としても機能する。すなわち、ケース本体１０に対して電線束押さえ部材２０を装着する際には、図４に示すように、前記長手方向で所定間隔をあけて配設された、リブ４１とリブ４３、及び、リブ４２とリブ４４の間に電線束押さえ部材２０を位置させて、ケース本体１０に電線束押さえ部材２０を装着する。また、リブ４２とリブ４４との前記長手方向における間隔は、電線束押さえ部材２０の脚部２２の前記長手方向における長さとほぼ同じであり、ケース本体１０に電線束押さえ部材２０を装着することによって、脚部２２の前記長手方向の両端面２２ａ，２２ｂと、この両端面２２ａ，２２ｂと対向するリブ４２，４４の前記長手方向の端面４２ｂ，４４ｂとが接触する。これにより、電線束押さえ部材２０の前記長手方向への変位がリブ４２，４４によって規制されるため、ケース本体１０に対する電線束押さえ部材２０の前記長手方向における位置決めがなされる。
【００２１】
本実施形態に係る電線収納ケース１に電圧検出線束５０とサーミスタ線束６０とを二段重ねで配索するときには、まず、ケース本体１０から電線束押さえ部材２０とカバー３０とを取り外した状態で、各リブ４１，４２，４３，４４のガイド面４１ａ，４２ａ，４３ａ，４４ａにより、ケース本体１０内における前記短手方向の中央側に寄せつつ電圧検出線束５０を配索する。次に、ケース本体１０内に電圧検出線束５０を配索した後、図１に示すように、ケース本体１０の底壁部１１との間で押さえ部２１及び一対の脚部２２，２３により電圧検出線束５０を囲むように、電線束押さえ部材２０をケース本体１０内に嵌め込み、ケース本体１０の側壁部１３の外壁面に設けられた係合爪１５に、電線束押さえ部材２０の係合部２４を引っ掛けて係合させる。このようにして、ケース本体１０に電線束押さえ部材２０を装着することにより、電圧検出線束５０が電線束押さえ部材２０によって底壁部１１側に押さえられ、配索経路が規制されることによって、電圧検出線束５０の各電圧検出線５０ａがばらばらにならないようにまとめられる。これにより、電圧検出線５０ａの一部分（余長）が開口１４から飛び出して、配索作業性が悪くなったり、電圧検出線５０ａがカバー３０に噛み込まれたりするのを抑制することができる。
【００２２】
また、電線束押さえ部材２０の押さえ部２１における開口１４側の面は、サーミスタ線束６０を載置するための載置面として用いられ、ケース本体１０に電線束押さえ部材２０を装着した後に、サーミスタ線束６０を前記載置面に載せつつ、電圧検出線束５０と重なるようにケース本体１０内に配索する。これにより、ケース本体１０の深さ方向において開口１４側の浅い位置にある前記載置面上にサーミスタ線束６０を載置するため、ケース本体１０内へサーミスタ線束６０を配索する際の作業性を向上させることができる。
【００２３】
そして、最後に、電圧検出線束５０とサーミスタ線束６０とが配索されたケース本体１０に、電線束押さえ部材２０の係合部２４とカバー３０の切り欠き部３１との位置を合わせてカバー３０を装着し、開口１４を閉塞することによって、電線収納ケース１への電圧検出線束５０とサーミスタ線束６０との配索作業が終了となる。
【００２４】
以上、本実施形態に係る電線収納ケース１においては、上述したような本発明の配索経路規制構造を適用することにより、電圧検出線束５０が配索されたケース本体１０内にサーミスタ線束６０を配索するとき、電圧検出線束５０がばらばらになって電圧検出線５０ａの一部分（余長）がケース本体１０の開口１４から外に飛び出してしまうのを抑制することができる。よって、ケース本体１０内への電線束の配索作業性を向上させたり、ケース本体１０の開口１４から電圧検出線５０ａの一部分（余長）が外に飛び出したまま、カバー３０を閉じてしまい、電圧検出線５０ａがカバー３０によって噛み込まれ破損したりするのを抑制することができる。
【００２５】
さらには、電線束押さえ部材２０によって電圧検出線束５０を押さえる構成により、ケース本体１０の深さや幅の狭さに関係なく、簡単な作業で電圧検出線束５０をケース本体１０内の所定箇所に収納でき、電圧検出線５０ａに余計な荷重を加えずに配索を行うことができる。そのため、治具を用いて電圧検出線５０ａに余計な荷重を加えつつ配索を行って電圧検出線５０ａが破線してしまうのを抑制することができる。
【符号の説明】
【００２６】
１      電線収納ケース
１０    ケース本体
１１    底壁部
１２    側壁部
１３    側壁部
１４    開口
１５    係合爪
１６    収容空間部
１７    保持空間部
２０    電線束押さえ部材
２１    押さえ部
２２    脚部
２３    脚部
２４    係合部
３０    カバー
３１    切り欠き部
４１    リブ
４２    リブ
４３    リブ
４４    リブ
５０    電圧検出線束
５０ａ  電圧検出線
６０    サーミスタ線束
６０ａ  サーミスタ線
【図１】
2018207694.tif 000003
【図２】
2018207694.tif 000004
【図３】
2018207694.tif 000005
【図４】
2018207694.tif 000006
【図５】
2018207694.tif 000007